(57)【要約】【課題】本発明は魚釣用スピニングリールに関し、釣糸放出操作時に於けるベール支持部材の釣糸巻取り位置への確実な反転防止を図った魚釣用スピニングリールを提供することを目的とする。【解決手段】ハンドル操作に連動回転するロータの支持アームの先端に、ベール支持部材を釣糸巻取り位置と釣糸放出位置とに反転自在に支持すると共に、ベール支持部材の基部に一端側が係合し、当該ベール支持部材の釣糸巻取り位置から釣糸放出位置への操作に連動して移動する移動部材の他端側を、リール本体の前部に装着した制動部材の外周面に圧接可能とした魚釣用スピニングリールに於て、上記制動部材の外周面に、ロータの径方向外方に突出する係止部を設けたことを特徴とする。【選択図】      図１
2004290049.tif 000002
【特許請求の範囲】
【請求項１】
ハンドル操作に連動回転するロータの支持アームの先端に、ベール支持部材を釣糸巻取り位置と釣糸放出位置とに反転自在に支持すると共に、ベール支持部材の基部に一端側が係合し、当該ベール支持部材の釣糸巻取り位置から釣糸放出位置への操作に連動して移動する移動部材の他端側を、リール本体の前部に装着した制動部材の外周面に圧接可能とした魚釣用スピニングリールに於て、
上記制動部材の外周面に、ロータの径方向外方に突出する係止部を設けたことを特徴とする魚釣用スピニングリール。
【発明の詳細な説明】
【０００１】
【発明の属する技術分野】
本発明は、ロータに設けた一対の支持アームの先端に、ベールを支持するベール支持部材を釣糸巻取り位置と釣糸放出位置とに反転自在に取り付けた魚釣用スピニングリールに関する。
【０００２】
【従来の技術】
従来周知のように魚釣用スピニングリール（以下、「スピニングリール」という）は、ロータに設けた一対の支持アームの先端に、半環状のベールがベール支持部材を介して釣糸巻取り位置と釣糸放出位置へ反転自在に取り付けられている。
そして、ベールを釣糸放出位置へ倒して仕掛けをキャスティングすると、スプールに巻回された釣糸がスパイラル状に繰り出され、また、ベールを釣糸巻取り位置へ反転させてハンドルを巻取り操作すると、ロータが釣糸巻取り方向へ回転し、このロータの回転に連動してリール本体の前後方向へ往復動するスプールに釣糸が巻き取られるようになっている。
【０００３】
ところで、図９に示すように、従来、ベール支持部材１は支持アーム３の内部に装着したデッドポイントバネ（振分け装置）５の付勢力によって、図９に示す釣糸巻取り位置と図１０の釣糸放出位置とに振分け保持されている。
【０００４】
また、スピニングリールには、ベール７（ベール支持部材１）を釣糸放出位置から釣糸巻取り位置に反転復帰させる反転装置９が設けられている。
図９に示すようにこの反転装置９は、ベール支持部材１の支軸１１を反転中心（回転中心）としてその基部１ａに円弧状の案内溝１３を形成し、当該案内溝１３に丸棒で成形されたキック部材（移動部材）１５の先端１５ａを係合して、ベール支持部材１の釣糸放出位置への操作に伴い、当該キック部材１５の後端がリール本体の前面側に形成された反転用ボス部に衝接可能に支持アーム３から突出するように構成したもので、釣糸放出後にハンドル操作でロータを回転させると、キック部材１５の後端が反転用ボス部に衝接してキック部材１５が図１０の矢印方向に押し戻され、これによりベール支持部材１が、当該キック部材１５を介して図１０の釣糸放出位置から図９の釣糸巻取り位置に反転復帰するようになっている。
【０００５】
しかし、従来、この種のスピニングリールでは、釣竿を勢いよく振り下ろして仕掛けをキャスティングした際に、その勢いで釣糸放出位置にあるベール支持部材１が釣糸巻取り位置に反転復帰してしまったり、不要なハンドル回転の影響でロータが回転して、釣糸放出位置にあるベール支持部材１がキック部材１５の作用で釣糸巻取り位置に反転復帰してしまう虞があった。
【０００６】
そして、このように釣糸の放出時にベール支持部材が誤って釣糸巻取り位置に反転復帰すると、釣糸が仕掛けと共に切れてしまうトラブルが発生する。
そこで、特許文献１には、このようなベール支持部材の釣糸巻取り位置への誤復帰を防止したスピニングリールが開示されている。
図１１は特許文献１に開示されたスピニングリールの要部拡大断面図、図１２はリール本体の正面図を示し、この従来例は、リール本体１７の前面部１７ａに、断面矩形状に成形された合成ゴムからなるリング状の制動部材１９をスプール軸（図示せず）を中心に装着し、ベール支持部材２１の釣糸放出位置への操作に伴い、支持アーム２３から突出するキック部材２５の後端２５ａを制動部材１９の外周の制動面（外周面）１９ａに圧接させて、ベール支持部材２１の釣糸巻取り位置への誤復帰を防止したもので、既述したキック部材１５と同様、キック部材２５は丸棒で成形されて、その先端２５ｂはベール支持部材２１の基部２１ａに係合している。
【０００７】
尚、図１１中、２７は支持アーム２３の外側に取り付くカバー、２９は支持アーム２３が一体成形されたロータ、３１はスプールを示し、カバー２７と支持アーム２３とで区画された収納部３３にキック部材２５や反転装置３５等が収納されている。
また、図１２に於て、３７はリール本体１７の前面部１７ａに設けられた反転用ボス部で、図９の従来例と同様、釣糸放出後にハンドル操作でロータ２９を矢印Ａ方向へ回転させると、キック部材２５の後端２５ａがこの反転用ボス部３７に衝接してキック部材２５が図１１の二点鎖線で示す位置に押し戻されて、ベール支持部材２１が釣糸放出位置から釣糸巻取り位置に反転復帰する。
【０００８】
【特許文献１】
特開２００１−２９９１６２号公報（段落番号「００３０」〜「００４１」、図４）
【０００９】
【発明が解決しようとする課題】
しかし乍ら、前記制動部材１９は弾性材で成形されているため、図１１に示すようにベール支持部材２１の釣糸放出位置への操作でキック部材２５の後端２５ａが制動面１９ａに圧接して移動する際に、制動部材１９（制動面１９ａ）が弾性変形してキック部材２５に矢印Ｂ方向への反力が生じる。
【００１０】
そして、制動部材１９は断面矩形状に成形されてその制動面１９ａがスプール軸に沿った平坦な形状となっているため、釣竿を勢いよく振り下ろす釣糸放出操作時にベール支持部材の慣性力にこの反力が加わると、キック部材２５が図１１の二点鎖線で示す位置にズレてベール支持部材２１が釣糸放出位置から釣糸巻取り位置に反転復帰し易く、依然として釣糸放出操作時のベール支持部材の誤復帰を完全に解消するに至っていないのが実情であった。
【００１１】
本発明は斯かる実情に鑑み案出されたもので、釣糸放出操作時に於けるベール支持部材の釣糸巻取り位置への確実な反転防止を図ったスピニングリールを提供することを目的とする。
【００１２】
【課題を解決するための手段】
斯かる目的を達成するため、請求項１に係る発明は、ハンドル操作に連動回転するロータの支持アームの先端に、ベール支持部材を釣糸巻取り位置と釣糸放出位置とに反転自在に支持すると共に、ベール支持部材の基部に一端側が係合し、当該ベール支持部材の釣糸巻取り位置から釣糸放出位置への操作に連動して移動する移動部材の他端側を、リール本体の前部に装着した制動部材の外周面に圧接可能としたスピニングリールに於て、上記制動部材の外周面に、ロータの径方向外方に突出する係止部を設けたことを特徴とする。
【００１３】
（作用）
請求項１に係る発明によれば、ベール支持部材の釣糸放出位置への操作に伴い、移動部材の他端側が制動部材の外周面上を圧接，移動し、係止部は弾性変形する。
そして、釣人が釣竿を勢いよく振り下ろして仕掛けをキャスティングしたため、ベール支持部材に慣性力が働いて釣糸巻取り方向に反転しようとしても、また、不要なハンドル回転の影響でロータが回転しようとしても、係止部によるベール支持部材の反転阻止制動力が作用して移動部材の移動を阻止し、ベール支持部材の釣糸巻取り方向への不要な反転を規制する。
【００１４】
【発明の実施の形態】
以下、本発明の実施形態を図面に基づいて説明する。
尚、発明部分を除くスピニングリールの構成は従来周知のものと同様であるため、ここではそれらについての説明は省略し、専ら発明部分について説明する。そして、図１１及び図１２に示す従来例と同一のものは同一符号を以って表示する。
【００１５】
図１乃至図３は請求項１に係るスピニングリールの第一実施形態を示し、図１に於て、４１は図１１の制動部材１９と同一の弾性材料で成形されたリング状の制動部材で、当該制動部材４１も、図示しないスプール軸を中心としてリール本体１７の前面部１７ａに装着されている。
そして、釣糸巻取り位置から釣糸放出位置へのベール支持部材２１の操作に伴い、キック部材２５の後端２５ａが、リール本体１７の前面側に形成された反転用ボス部３７に衝接可能に支持アーム２３から突出して制動部材４１の外周の制動面（外周面）４１ａに圧接するが、本実施形態は、釣糸放出操作時に於けるベール支持部材２１の反転防止を確実なものとするため、図２に示すように制動面４１ａ全体を制動部材４１の径方向外方へ突出する断面円弧状に成形して、制動面４１ａ全体を係止部４３としたことを特徴とする。
【００１６】
而して、ベール支持部材２１の釣糸放出位置への操作に伴い、キック部材２５の後端２５ａが制動面４１ａに圧接，移動して係止部４３（制動面４１ａ）は弾性変形するが、ベール支持部材２１が釣糸放出位置まで移動すると、図３の実線で示すように係止部４３の頂部Ｐよりリール本体１７の後方側の制動部材４１の反力が減少する位置に、キック部材２５の後端２５ａの軸線Ｌが位置するようになっている。
【００１７】
本実施形態はこのように構成されているから、従来と同様、ベールを釣糸放出位置へ倒して仕掛けをキャスティングすれば、スプール３１に巻回された釣糸がスパイラル状に繰り出され、また、ベールを釣糸巻取り位置へ反転させてハンドルを巻取り操作すると、ロータ２９の回転に連動してリール本体１７の前後方向へ往復動するスプール３１に釣糸が巻き取られる。
【００１８】
そして、この一連の魚釣り操作に於て、ベール支持部材２１の釣糸放出位置への操作に伴い、キック部材２５の後端２５ａが反転用ボス部３７に衝接可能に支持アーム２３から突出して制動部材４１の制動面４１ａ上を圧接，移動し、係止部４３は弾性変形する。そして、ベール支持部材２１が釣糸放出位置まで完全に移動すると、図３の実線で示すように係止部４３の頂部Ｐより後方側にキック部材２５の後端２５ａが移動して制動面４１ａに圧接する。
【００１９】
従って、斯かる状態で釣人が釣竿を勢いよく振り下ろして仕掛けをキャスティングしたために、ベール支持部材２１に慣性力が働いてベール支持部材２１が釣糸巻取り方向へ反転しようとしても、また、不要なハンドル回転の影響でロータ２９が釣糸巻取り方向へ回転しようとしても、係止部４３の頂部Ｐより後方の制動面４１ａにキック部材２５の後端２５ａが圧接しているため、制動部材４１の反力ではなく、逆に係止部４３によるベール支持部材２１の反転阻止制動力が作用（円弧状の係止部４３を乗り上げる時の弾発力作用）して、キック部材２５の図３中、矢印Ｃ方向への移動を阻止し、ベール支持部材２１の釣糸巻取り方向への不要な反転を規制する。
【００２０】
そして、釣糸放出後に釣人がハンドル操作でロータ２９を釣糸巻取り方向へ回転させれば、従来と同様、キック部材２５の後端２５ａが反転用ボス部３７に衝接してキック部材２５が図３の矢印Ｃ方向に押し戻され、これによりベール支持部材２１がキック部材２５を介して釣糸巻取り位置に反転復帰する。
このように本実施形態は、制動部材４１の制動面４１ａ全体を径方向外方へ突出する断面円弧状に成形して、当該制動面４１ａ全体をキック部材２５に対し反転阻止制動力が作用する係止部４３としたので、釣糸放出操作時に於けるベール支持部材２１の釣糸巻取り方向への誤復帰を確実に防止することが可能となった。
【００２１】
図４乃至図８は、夫々、制動部材の制動面に設ける係止部の変形例を示し、図４の実施形態は、制動部材４１−１の制動面４１ａ−１にその周方向に沿って２つのリング状のＶ溝４５，４７を設けて、当該制動面４１ａ−１に、制動部材４１−１の径方向外方に突出する先端が鋭角な２つの断面略三角形状の係止部４９，５１を設けたもので、ベール支持部材２１が釣糸放出位置まで移動したとき、二点鎖線で示すようにキック部材２５の後端２５ａは、２つの係止部４９，５１を越えて後方側のＶ溝４７に係合するようになっている。
【００２２】
而して、本実施形態によれば、仕掛けのキャスティング時にベール支持部材２１に慣性力が働いて釣糸巻取り方向に反転しようとしても、また、不要なハンドル回転の影響でロータ２９が回転しようとしても、キック部材２５の後端２５ａは後方側のＶ溝４７に係合しているため、係止部５１，４９によるベール支持部材２１の反転阻止制動力が作用して、キック部材２５の図中、矢印Ｃ方向への移動を阻止し、ベール支持部材２１の釣糸巻取り方向への反転を規制する。
【００２３】
従って、本実施形態によっても、図８以下の従来例に比し、釣糸放出操作時に於けるベール支持部材２１の釣糸巻取り方向への誤復帰を確実に防止することが可能となる。
そして、図５の実施形態は、制動部材４１−２の制動面４１ａ−２の前方側（リール本体１７の前方側）に、当該制動部材４１−２の径方向外方に突出する凸状の係止部５３を周方向に沿って突設したもので、ベール支持部材２１が釣糸放出位置まで移動したとき、二点鎖線で示すようにキック部材２５の後端２５ａは係止部５３を越えて後方側の制動面４１ａ−２に圧接するようになっている。
【００２４】
また、図６の実施形態は、制動部材４１−３の制動面４１ａ−３全体をスピニングリールの前方側から後方に向かって順次縮径する逆テーパ形状に成形して、制動面４１ａ−３の前側を制動部材４１−３の径方向外方に突出する係止部５５としたものである。
更にまた、図７の実施形態は、制動部材４１−４の制動面４１ａ−４の中央を円弧状に窪ませて、その前後両端側に制動部材４１−４の径方向外方に突出する係止部５７，５９を設けたもので、ベール支持部材２１が釣糸放出位置まで移動したとき、二点鎖線で示すようにキック部材２５の後端２５ａは制動面４１ａ−４の略中央に圧接するようになっている。
【００２５】
そして、図８の実施形態は、制動部材４１−５の制動面４１ａ−５に、当該制動部材４１−５の径方向外方に突出する３つの断面円弧状の係止部６１，６３，６５をリング状に突設したもので、ベール支持部材２１が釣糸放出位置まで移動したとき、二点鎖線で示すようにキック部材２５の後端２５ａは、後方側の２つの係止部６３，６５間に圧接するようになっている。
【００２６】
而して、これらの各本実施形態によっても、夫々、係止部５３，５５，５７，６１，６３によるベール支持部材２１の反転阻止制動力が作用して、キック部材２５の矢印Ｃ方向への移動を阻止し、ベール支持部材２１の釣糸巻取り方向への反転を規制する。
従って、これらの各実施形態によっても、図８以下の従来例に比し、釣糸放出操作時に於けるベール支持部材２１の釣糸巻取り方向への誤復帰を確実に防止することが可能である。
【００２７】
尚、上述した各実施形態は、ベール支持部材の釣糸巻取り位置から釣糸放出位置への操作に連動して移動する移動部材にキック部材としての機能を併用させたが、このような内蹴り式に於て、夫々独立して作動，機能させてもよい。
また、所謂外蹴り式のスピニングリールに本発明を適用させることも可能であり、このスピニングリールにあっては、反転用ボス部に衝接してベール支持部材を釣糸放出位置から釣糸巻取り位置に反転復帰させる機能を移動部材に持たせる必要がないことは勿論である。
【００２８】
【発明の効果】
以上述べたように、請求項１に係る発明によれば、制動部材の制動面に設けた係止部の反転阻止制動力によって、釣糸放出操作時に於けるベール支持部材の釣糸巻取り方向への誤復帰を確実に防止することが可能である。
【図面の簡単な説明】
【図１】請求項１の第一実施形態に係るスピニングリールの支持アームの断面図である。
【図２】請求項１の第一実施形態に係るスピニングリールの要部拡大断面図である。
【図３】請求項１の第一実施形態に係るスピニングリールの要部拡大断面図である。
【図４】請求項１の第二実施形態に係るスピニングリールの要部拡大断面図である。
【図５】請求項１の第三実施形態に係るスピニングリールの要部拡大断面図である。
【図６】請求項１の第四実施形態に係るスピニングリールの要部拡大断面図である。
【図７】請求項１の第五実施形態に係るスピニングリールの要部拡大断面図である。
【図８】請求項１の第六実施形態に係るスピニングリールの要部拡大断面図である。
【図９】従来のスピニングリールに装着された反転装置の説明図である。
【図１０】従来のスピニングリールに装着された反転装置の説明図である。
【図１１】従来のスピニングリールの支持アームの断面図である。
【図１２】従来のスピニングリールのリール本体の正面図である。
【符号の説明】
１７  リール本体
２１  ベール支持部材
２３  支持アーム
２５  キック部材
２９  ロータ
３１  スプール
４１，４１−１，４１−２，４１−３，４１−４，４１−５  制動部材
４１ａ，４１−１ａ，４１ａ−２，４１ａ−３，４１ａ−４，４１ａ−５  制動面
４３，４９，５１，５３，５５，５７，５９，６１，６３，６５  係止部
【図１】
2004290049.tif 000003
【図２】
2004290049.tif 000004
【図３】
2004290049.tif 000005
【図４】
2004290049.tif 000006
【図５】
2004290049.tif 000007
【図６】
2004290049.tif 000008
【図７】
2004290049.tif 000009
【図８】
2004290049.tif 000010
【図９】
2004290049.tif 000011
【図１０】
2004290049.tif 000012
【図１１】
2004290049.tif 000013
【図１２】
2004290049.tif 000014